(57)【要約】【課題】本発明は、簡単な構造で、チャンネルベースの開口を容易に被覆又は通線孔に変更することができるチャンネルベースの構造を提供することを目的としている。【解決手段】本発明に係るチャンネルベース１の構造は、チャンネルベース１の少なくとも前面１ａに開口２を中央部２ａと下方部２ｂに連続又は分割して設け、前面被覆板３にて開口２を全面被覆可能とすると共に、前面被覆板３の取り付け位置を変更させて開口２の中央部２ａのみ被覆し、下方部２ｂを入出線の通線孔として開口可能とすることを特徴とするものである。【選択図】　　　　図１
2004032925.tif 000002
【特許請求の範囲】
【請求項１】
分電盤等を設置する際に前記分電盤を支持するために用いられるチャンネルベースの構造であって、該チャンネルベースの少なくとも前面に開口を、中央部と下方部に連続又は分割して設け、前面被覆板にて前記開口を全面被覆可能とすると共に、該前面被覆板の取り付け位置を変更させて前記開口の中央部のみ被覆し、下方部を入出線の通線孔として開口可能とすることを特徴とするチャンネルベースの構造。
【発明の詳細な説明】
【０００１】
【発明の属する技術分野】
本発明は、分電盤等を設置する際に分電盤を支持するために用いられるチャンネルベースの構造に関する。
【０００２】
【従来の技術】
チャンネルベースには前面に通線作業を行うための開口を設けた高さの高いものと、前面に開口がない高さの低いものがある。ＯＡフロアに分電盤３１を自立させて設置する場合、ＯＡフロアの床面Ｌに埋め込むようにチャンネルベース３２を設置し、そのチャンネルベース３２の上に分電盤３１を取り付けるが、その都度、チャンネルベース３２に必要な通線孔３３を加工するか、チャンネルベース３２を床面Ｌまで浮かせるような架台３４を設置する等して、分電盤３１からの入出線に対応していた。また、はじめに、入出線の必要がなくチャンネルベースに通線孔が設けられていない分電盤が設置されているオフィス等の床面に、床下配線を行うため新たにＯＡフロアをリニューアル工事で設ける場合も同様に、チャンネルベース３２に、通線孔３３を施すか、架台３４を設置するか、作り替える等していた。
【０００３】
【発明が解決しようとする課題】
上記従来技術における分電盤の設置方法では、通線孔３３の加工や架台３４は施工業者が加工製作する場合が多く、時間と手間がかかり、繁雑な作業となっていた。また、最近、短納期でさらに低価格の一旦設置された分電盤のリニューアル工事が増えてきている。その場合、ＯＡフロアを設ける場合も同様に施工業者が加工、製作するため、製作に時間がかかると共に、製造コストも高いものとなる他、通線孔３３を加工する場合、高さの高いチャンネルベースを使用するため、前面に開口が施されている場合が多く、その場合、前面被覆板３５がＯＡフロアの床面Ｌに挟まれて、施行後に点検等で前面被覆板３５を外す際、ＯＡフロアを取り外さなければならず、非常に繁雑な作業となっていた。
【０００４】
【課題を解決するための手段】
そこで本発明は、簡単な構造で、チャンネルベースの開口を容易に被覆又は通線孔に変更することができるチャンネルベースの構造を提供することを目的とし、その構造は、チャンネルベースの少なくとも前面に開口を中央部と下方部に連続又は分割して設け、前面被覆板にて開口を全面被覆可能とすると共に、前面被覆板の取り付け位置を変更させて開口の中央部のみ被覆し、下方部を入出線の通線孔として開口可能とすることを特徴とする。
【０００５】
【発明の実施の形態】
本発明に係るチャンネルベースの構造は、前面に開口を設け、入出線の必要がない場合には開口を前面被覆板で前面被覆する。このように設置されたチャンネルベースの下方部にその後、リニューアル工事等で通線孔が必要になった場合には、前面被覆板の取り付け位置を移動させることによって、チャンネルベース本体や前面被覆板に穴加工を施したり作り替えたりすることなく、前面被覆板に容易に入出線孔が設けられる。
【０００６】
【実施例】
本発明に係るチャンネルベースの構造を示す第一実施例を図１〜図２の添付図面に基づいて説明する。
【０００７】
ＯＡフロアに分電盤を設置する場合には、ＯＡフロアにチャンネルベース１を設置し、チャンネルベース１の上に分電盤を取り付ける。チャンネルベース１の前面１ａには、中央部開口２ａと下方部開口２ｂを設けている。
【０００８】
開口２ａ、２ｂは、前面被覆板３で被覆する。中央部開口２ａ周縁に左右それぞれ二カ所ずつ取り付け穴４を設け、前面被覆板３を開口２ａ、２ｂを全面被覆可能に対向させておいたときにチャンネルベース１に設けられた取り付け穴４に対向する位置に固定穴５を設ける。
【０００９】
入出線の必要がない場合には、図１に示すように、開口２ａ、２ｂ全面を前面被覆板３で被覆し、前面被覆板３の固定穴５と開口２ａ周縁の取り付け穴４とを対向させ、ねじ６で固定する。また、分電盤からの入出線があり、チャンネルベース１の前面１ａからも入出線する必要がある場合には、図２に示すように、開口２ｂを通線孔として用いる。前面被覆板３を上下反転させて、チャンネルベース１に設けられた取り付け穴４に、前面被覆板３に設けられた固定穴５を対向させ、前面被覆板３で中央部開口２ａを被覆し、下方部開口２ｂを通線孔として用いる。このように、前面被覆板３は、取り付け位置の変更が可能であって、ＯＡフロアでの設置は特別な加工や架台の設置が不要で対応できる。また、一旦、開口２ａ、２ｂ全面を塞いだ状態のチャンネルベース１を設置した後で、リニューアル工事等で入出線が必要となり、通線孔をチャンネルベース１に設けたい場合においても、前面被覆板３を上下反転させて取り付け、下方部開口２ｂを入出線孔として用いる。ＯＡフロアＬは、通常床面から５０ｍｍ程度が一般的であり、中央部開口２ａと下方部開口２ｂとを分割している。分割枠１ｂの部分にＯＡフロアＬが位置づけられるので、施行後も前面被覆板３を容易に着脱できる。
【００１０】
また、図３〜図４に、本発明に係るチャンネルベースの第二実施例に示すが、チャンネルベース７の前面７ａには、連続又は分割して中央部と下方部に開口８を設けている。
【００１１】
開口８は必要に応じて前面被覆板９で被覆する。開口８周縁の左右それぞれ四カ所ずつ取り付け穴１０を設け、前面被覆板９の左右それぞれ二カ所ずつ固定穴１１を設ける。
【００１２】
図３に示すように、入出線の必要がない場合には、開口８全面を前面被覆板９で被覆し、下側の取り付け穴１０ａと、前面被覆板９の固定穴１１とを対向させ、ねじ１２で固定する。また、分電盤からの入出線があり、チャンネルベース７の前面７ａからも入出線する必要がある場合には、図４に示すように、開口８を通線孔として用いる。前面被覆板９を上へずらし、中央部開口８ａの部分を被覆してねじ止めし、下方部開口８ｂを通線孔として用いる。このように、前面被覆板３は、取り付け位置の変更が可能であって、一旦、開口８全面を塞いだ状態のチャンネルベース１を設置した後で、リニューアル工事等で入出線が必要となり、通線孔をチャンネルベース１に設けたい場合には、前面被覆板９を上へずらして上側の取り付け穴１０ｂと、前面被覆板９の固定穴１１とを対向させて取り付け、下方部開口８ｂを入出線孔として用いる。
【００１３】
従来は、チャンネルベースに穴加工をしたり、作り直したりと、製作時間も多くかけてリニューアル工事等を行っていたが、本発明によれば、最初に設置されたチャンネルベースをそのまま使用できるので、施工性も向上し、短納期、製造コストも改善される。
【００１４】
本発明に係るチャンネルベースの構造において、上記方法において前面被覆板で被覆される開口は、前面に限定されるものではなく、適宜変更可能である。
【００１５】
また、本発明に係るチャンネルベースの構造において、チャンネルベースの開口を被覆する前面被覆板の取り付け方法は、ねじによる固定に限定されるものではなく、本発明を逸脱しない範囲において適宜変更可能である。
【００１６】
【発明の効果】
以上述べたように、本発明に係るチャンネルベースの構造は、チャンネルベースの少なくとも前面に開口を中央部と下方部に連続又は分割して設け、前面被覆板にて開口を全面被覆可能とすると共に、前面被覆板の取り付け位置を変更させて開口の中央部のみ被覆し、下方部を入出線の通線孔として開口可能とするため、従来のように、チャンネルベースに穴加工を施したり、作り直したりすることなく、容易に通線孔を開けることができるので、施工性が向上し、作業も早くできると共に、製造コストも引き下げられる。
【図面の簡単な説明】
【図１】本発明に係るチャンネルベースの構造の第一実施例を示す斜視図である。
【図２】本発明に係るチャンネルベースの構造の第一実施例を示す斜視図である。
【図３】本発明に係るチャンネルベースの構造の第二実施例を示す斜視図である。
【図４】本発明に係るチャンネルベースの構造の第二実施例を示す斜視図である。
【図５】従来技術におけるチャンネルベースの構造を示す斜視図である。
【図６】従来技術におけるチャンネルベースの構造を示す斜視図である。
【符号の説明】
１　　　チャンネルベース
１ａ　　前面
２ａ　　中央部開口
２ｂ　　下方部開口
３　　　前面被覆板
４　　　取り付け穴
５　　　固定穴
６　　　ねじ
７　　　チャンネルベース
７ａ　　前面
８　　　開口
８ａ　　中央部開口
８ｂ　　下方部開口
９　　　前面被覆板
１０　　取り付け穴
１１　　固定穴
１２　　ねじ
【図１】
2004032925.tif 000003
【図２】
2004032925.tif 000004
【図３】
2004032925.tif 000005
【図４】
2004032925.tif 000006
【図５】
2004032925.tif 000007
【図６】
2004032925.tif 000008